【手続補正書】
【提出日】平成20年1月28日(2008.1.28)
【手続補正１】
【補正対象書類名】特許請求の範囲
【補正対象項目名】全文
【補正方法】変更
【補正の内容】
【特許請求の範囲】
【請求項１】
関節鏡を使った外科手術を行うためのシステムであって、
関節鏡を使った外科手術を行うのに適した関節鏡検査器具と、
基端側部分と基端により特徴付けられるチューブを含む非侵襲的シースで、前記シースは関節鏡検査器具の外径にきわめて近い寸法の内径を有し、前記関節鏡検査器具上に取り外し可能な状態で配置されている非侵襲的シースと、
前記シースの前記基端側部分に配置された円筒状のグリップで、前記基端側部分により特徴付けられているグリップとを備え、
前記グリップの基端側部分は前記シースの基端を越えて基端方向に延びており、
前記グリップの基端側部分の素材および前記グリップの基端側部分の寸法は、前記関節鏡検査器具の外径よりも小さい内径を有する形に付勢されるように選択され、これにより前記グリップの基端側部分は前記関節鏡検査器具をつかむことができるようになっている、システム。
【請求項２】
操作可能な状態で前記グリップに取り付けられており、前記グリップの基端側部分の第１セグメントを放射状に外側に移動させることのできる第１レバーをさらに含むことを特徴とする請求項１記載のシステム。
【請求項３】
操作可能な状態で前記グリップに取り付けられており、前記グリップの基端側部分の第２セグメントを放射状に外側に移動させることのできる第２レバーをさらに含むことを特徴とする請求項１記載のシステム。
【請求項４】
前記第１レバーと前記第２レバーは前記グリップから末端方向に延び、
前記第１レバーと前記第２レバーは末端部分で特徴付けられており、
前記第１レバーと前記第２レバーの末端部分は、前記シースから放射状に外側へ延びた弓状のセグメントを含むことを特徴とする請求項３記載のシステム。
【請求項５】
前記第１レバーの末端部分に配置された第１支点と前記第２レバーの末端部分に配置された第２支点をさらに含むことを特徴とする請求項４記載のシステム。
【請求項６】
前記シース上に配置された第１タブをさらに含み、前記第１タブは、前記シースの外側に配置された流体が前記タブの基端方向へ移動するのを妨げるようになっていることを特徴とする請求項１記載のシステム。
【請求項７】
前記シース上で前記第１タブの末端側に配置された第２タブをさらに含み、前記第２タブは、前記シースの外側に配置された流体が前記第２タブの基端方向へ移動するのを妨げるようになっていることを特徴とする請求項６記載のシステム。
【請求項８】
前記シースは末端側の先端により特徴付けられ、
前記末端側の先端は前記シースの硬度よりも柔らかい硬度を有する素材からなり、
前記末端側の先端は前記シースの内径よりも小さい内径を有することを特徴とする請求項１記載のシステム。
【請求項９】
前記先端は、前記先端の少なくとも１箇所に裂け目があることを特徴とする請求項８記載のシステム。
【請求項１０】
前記シースはさらに末端部分により特徴付けられており、前記シースはさらにシースの末端部分に配置された孔を有し、前記孔は前記シースの外径から前記シース内に配置された内腔に通じており、これにより流体は前記孔を通して外科手術部位へ送られたり、外科手術部位から吸い取られたりするようになっていることを特徴とする請求項１記載のシステム。
【請求項１１】
前記シースはさらに末端部分により特徴付けられており、前記シースはさらに前記シースの末端部分に配置された孔を有し、前記孔は前記シースの外径から前記シース内に配置された内腔に通じており、これにより流体は前記孔を通して外科手術部位へ送られたり、外科手術部位から吸い取られたりするようになっていることを特徴とする請求項６記載のシステム。
【請求項１２】
前記シースはさらに末端部分により特徴付けられており、前記シースはさらに前記シースの末端部分に配置された孔を有し、前記孔は前記シースの外径から前記シース内に配置された内腔に通じており、これにより流体は前記孔を通して外科手術部位へ送られたり、外科手術部位から吸い取られたりするようになっていることを特徴とする請求項８記載のシステム。
【請求項１３】
非侵襲的シースであって、
末端側の先端を有し、末端部位、内面および内径により特徴付けられるチューブを含み、
前記チューブの内径は、関節鏡検査器具を前記チューブ内に置いたとき、前記チューブの内面と前記関節鏡検査器具の外面の間を流体が流れることができるような寸法になっており、
前記末端側の先端は、前記関節鏡検査器具を前記チューブ内に置いたとき、前記関節鏡検査器具の外周を密閉するように延長しており、
前記チューブの内面から内側に延び、前記チューブに沿って縦方向に伸長している複数のリブをさらに含み、
前記リブは前記関節鏡検査器具の外面と前記チューブの内面との間の外側内腔を形成している非侵襲的シース。
【請求項１４】
前記末端側の先端と前記チューブは同じ柔軟な素材で構成されていることを特徴とする請求項１３記載の非侵襲的シース。
【請求項１５】
前記末端側の先端は前記チューブを構成する素材とは異なる素材で構成されており、前記異なる素材は前記チューブを構成する素材よりも高い弾性係数を有していることを特徴とする請求項１３記載の非侵襲的シース。
【請求項１６】
前記末端側の先端は、前記先端の少なくとも１箇所に裂け目があることを特徴とする請求項１３記載の非侵襲的シース。
【請求項１７】
前記チューブの末端部分は、１つまたはそれ以上の外側内腔と外科手術部位とに流体的に連通している複数の孔をさらに含むことを特徴とする請求項１３、１４または１５記載の非侵襲的シース。
【請求項１８】
１つまたはそれ以上の外側内腔に連結された１つまたはそれ以上の逆止弁をさらに含むことを特徴とする請求項１３の非侵襲的シース。
【請求項１９】
前記関節鏡検査器具の末端は、前記関節鏡検査器具を前記非侵襲的シース内に配置したとき、前記非侵襲的シースの末端側の先端から末端方向に延びることができることを特徴とする請求項１７記載の非侵襲的シース。
【請求項２０】
関節鏡シースと共に使用する装置であって、
外面と、貫通する延びる内腔とを有するスリーブを含み、前記内腔は、内視鏡を用いた外科手術器具の外径に摩擦によって適合するような寸法になっている内径を有し、
前記外科手術器具が外科手術部位から容易に外れないように前記スリーブの外面上に配置された隆起をさらに含むことを特徴とする装置。
【請求項２１】
前記隆起は螺旋状でねじ山の形をしていることを特徴とする請求項２６記載の組織貯留装置。
【請求項２２】
前記隆起は周囲に配置されていることを特徴とする請求項２６記載の組織貯留装置。
【請求項２３】
前記スリーブの外面に配置された複数の円形隆起をさらに含むことを特徴とする請求項２６記載の組織貯留装置。
【請求項２４】
前記装置の前記スリーブは滅菌可能なエラストマからなることを特徴とする請求項２６記載の組織貯留装置。
【請求項２５】
関節鏡視下手術を行うためのシステムであって、
末端側の先端に特徴があり、関節鏡視下手術に適している関節鏡検査器具と、
末端を有する弾力性のある素材でできているチューブからなる非侵襲的シースを含み、前記シースは前記関節鏡検査器具の外径にきわめて近い寸法の内径を有しており、前記シースは前記シースの末端に配置されたフランジを有し、前記フランジは、前記関節鏡検査器具の末端側の先端が前記シースから末端方向に延伸するのを妨げるような配置、大きさおよび寸法になっており、
前記非侵襲的シースは、前記関節鏡検査器具の上に取り外し可能な状態で配置されている、システム。
【請求項２６】
前記シースは外面と内面に特徴があり、前記外面には滑らかなコーティングが施されていることを特徴とする請求項３１記載のシステム。
【請求項２７】
前記シースの内面には滑り止めコーティングが施されていることを特徴とする請求項３２記載のシステム。
【請求項２８】
前記シースには基端にタブが配置されており、前記タブは前記シースを前記関節鏡検査器具に装着および取り外しできる寸法になっていることを特徴とする請求項３１記載のシステム。
【請求項２９】
前記シースの基端に配置された第１セットの取り付け部品と前記関節鏡検査器具に配置された第２セットの取り付け部品とをさらに含み、前記第１および第２セットの取り付け部品は取り外し可能に連結されており、前記第１および第２セットの取り付け部品を一緒に固定するとき、前記シースが前記関節鏡検査器具に固定されることを特徴とする請求項３１記載のシステム。
【請求項３０】
前記非侵襲的シースは末端部分に特徴があり、前記シースの末端部分に配置されたバルーンをさらに含むことを特徴とする請求項３１記載のシステム。
【請求項３１】
前記シースは作動チューブをさらに含み、前記作動チューブは、外科手術部位と前記作動チューブの内腔との間に流体が流れることのできる大きさ、寸法および配置になっていることを特徴とする請求項３１記載のシステム。
【請求項３２】
末端、外面、内面、内径および外径を有する弾力性の素材からなるチューブを含む非侵襲的シースであって、
前記チューブの内径は、関節鏡検査器具の外径にきわめて近い寸法で、
前記チューブには、前記シースの末端に配置され内側を向いているフランジが設けられ、前記フランジは前記関節鏡検査器具の末端側の先端が前記シースから末端方向に延伸するのを防ぐ寸法、大きさおよび配置になっており、
前記チューブの外面には、滑らかなコーティングが施されており、
前記チューブの内面には、滑り止めコーティングが施されている、非侵襲的シース。
【請求項３３】
関節鏡視下手術を実施するためのシステムであって、
末端側の先端に特徴があり、関節鏡視下手術の実施に適した関節鏡検査器具と、
内腔と剛性の先端とに特徴がある堅いカニューレで、前記関節鏡検査器具が内腔を通って前記堅いカニューレの末端側の先端から末端方向に延びるような大きさおよび寸法を有する堅いカニューレと、
末端を有する弾力性のある素材でできたチューブからなり、前記関節鏡検査器具の外径にきわめて近い寸法の内径を有する非侵襲的シースとを含み、
前記非侵襲的シースは、前記関節鏡検査器具上に取り外し可能な状態で配置されている、システム。
【請求項３４】
前記シースは外面と内面に特徴があり、前記外面には滑らかなコーティングが施されていることを特徴とする請求項３９記載のシステム。
【請求項３５】
前記シースの内面には滑り止めコーティングが施されていることを特徴とする請求項４０記載のシステム。
【請求項３６】
前記シースには、前記シースの基端に配置されたタブが設けられており、前記タブは前記シースを前記関節鏡検査器具に装着および取り外しできる大きさおよび寸法になっていることを特徴とする請求項３９記載のシステム。
【請求項３７】
前記シースの基端に配置された第１セットの取り付け部品と前記関節鏡検査器具に配置された第２セットの取り付け部品をさらに含み、前記第１および第２セットの取り付け部品は取り外し可能な状態で連結されており、前記第１および第２セットの取り付け部品を一緒に固定するとき、前記シースが前記関節鏡検査器具に固定されることを特徴とする請求項３９記載のシステム。
【請求項３８】
前記シースには末端部分に特徴があり、前記シースは前記シースの末端部分に配置されたバルーンをさらに含むことを特徴とする請求項３９記載のシステム。
【請求項３９】
前記シースは作動チューブをさらに含み、前記作動チューブは、外科手術部位と前記作動チューブの内腔との間に流体が流れることのできる大きさ、寸法および配置になっていることを特徴とする請求項３９記載のシステム。